(57)【要約】      （修正有）【課題】同じ数の流体継手を収容するように形成された複数のハウジングを有する複式継手マニホールドに関する。機械の上の流体回路の２つの流体導管に接続するのに適し、少なくとも２つの異なるサイズの流体導管を有する、サポートマニホールドを提供する。【解決手段】マニホールド１は、一旦マニホールド１が機械に取り付けられるとマニホールド１を機械の上にある流体回路に流体的に接続するように形成される第１及び第２流体接続手段を有することを特徴とし、前記第１流体接続手段を前記第１及び第２ハウジングに接続する第１流体接続パイプと、前記第２流体接続手段を前記第３及び第４ハウジングに接続する第２流体接続パイプを有することをさらなる特徴とする。【選択図】図１
2017122507.tif 000002
【特許請求の範囲】
【請求項１】
それぞれが１つの流体継手を収容するように形成された複数のハウジング（１ａ、２ａ、３ａ、４ａ）を有する複式継手マニホールド（１）であって、前記マニホールド（１）は、前記マニホールド（１）を機械の上にある流体回路に流体的に接続するように形成された第１流体接続手段（１００ａ）及び第２流体接続手段（２００ａ）と、これに付随して、前記第１流体接続手段（１００ａ）を前記第１（１ａ）及び第２（２ａ）ハウジングに接続する第１流体接続パイプ（１００）と、前記第２流体接続手段（２００ａ）を前記第３（３ａ）及び第４（４ａ）ハウジングに接続する第２流体接続パイプ（２００）を有し、前記第１（１００）及び第２（２００）流体接続パイプの内の１つと流体的に接続している少なくとも１つのドレン導管（３００）を含む減圧手段と、前記第１ハウジング（１ａ）と前記第２ハウジング（２ａ）とを流体接続させる少なくとももう１つの流体接続導管（４００）をさらに有する、複式継手マニホールド（１）。
【請求項２】
前記複数のハウジングが、第１ハウジング（１ａ）、第２ハウジング（２ａ）、第３ハウジング（３ａ）及び第４ハウジング（４ａ）を有し、少なくとも前記第１（１ａ）及び第２（２ａ）ハウジングが、減圧システムを備えるカートリッジ接続手段を収容するように形成されている、請求項１に記載の複式継手マニホールド（１）。
【請求項３】
前記第３ハウジング（３ａ）が、減圧システムのない雌継手（３０）を収容するように形成され、前記第４ハウジング（４ａ）が減圧システムのない雄継手（４０）を収容するように形成される、請求項２に記載の複式継手マニホールド（１）。
【請求項４】
前記減圧手段（３００）が、前記第１（１０）及び第２（２０）カートリッジのために、前記第１ハウジング（１ａ）を前記第２ハウジング（２ａ）に流体的に接続する少なくとも１つのドレン通路（３００ａ）を有する、請求項１〜３のいずれか一項に記載の複式継手マニホールド（１）。
【請求項５】
前記減圧手段（３００）が、加圧された流体を排出するために、前記ドレン通路（３００ａ）の上に配置された少なくとも１つのドレン継手（５０）をさらに有する、請求項１〜４のいずれか一項に記載の複式継手マニホールド（１）。
【請求項６】
請求項１〜５のいずれか一項によるマニホールドと、前記第１ハウジング（１ａ）に挿入される第１カートリッジ（１０）と、前記第２ハウジング（２ａ）に挿入される第２カートリッジ（２０）と、前記第３ハウジング（３ａ）に挿入される平面座雌継手（３０）と、前記第４ハウジング（４ａ）に挿入される平面座雄継手（４０）を有する、複式導管の同時接続のためのシステム。
【請求項７】
前記第１（１０）及び第２（２０）カートリッジのそれぞれが、前記カートリッジ（１０、２０）から加圧された流体をドレン通路（３００ａ）に排出するように形成された１つの減圧装置（１５）を有する、請求項６に記載のシステム。
【発明の詳細な説明】
【技術分野】
【０００１】
本発明は、複数の急速継手を有するタイプの急速継手のための複式継手マニホールドに関する。
【０００２】
より詳しくは、本発明の急速継手のための前記マニホールドは、複数の様々なサイズの流体導管を単一のマニホールドに接続することを可能にする。
【０００３】
本発明によるマニホールトのおかげで、機側にただ２つの導管をつなぐことで済ますことが可能となり、これにより機械の上の流体回路を単純化できる。
【０００４】
特に、本発明のマニホールドは土工機械に使用するために設計されたが、本発明は特定の利用に限定しない。
【背景技術】
【０００５】
システムは、通常複数のカートリッジタイプの雄又は雌継手を収容するサポートマニホールドと前記カートリッジに接続するのに適したタイプの対応する雌又は雄継手を備えている１又は２以上の流体導管との間の、手動接続が可能であるような技術分野においては公知である。
【０００６】
マニホールドは、機械に取り付けられ、機械に設置されている加圧された油圧回路と流体的に接続しており、ユーザは雄継手や雌継手を備える前記流体導管を通じて前記マニホールドに接続される。
【０００７】
前記サポートマニホールドに収容されている継手は「カートリッジタイプ」と呼ばれる。なぜなら、それらは、この目的のために働かせるために、前記マニホールドの中に設けられたハウジングに一体に結合されなければならないからであり、なぜなら、油の流れは前記継手に関して独占的ではないが軸方向成分を有しているからである。したがって、前記サポートマニホールドは流れそのものに関わる。
【０００８】
通常、従来技術で公知のタイプの前記マニホールドは２つのカートリッジを収容するか、又は、いずれにしてもカートリッジの数はマニホールドと機械との間の流体接続導管の数に等しい。
【０００９】
このため、従来技術で公知のタイプのマニホールドを不利にする欠点は、それらが収容することができる継手の限定された数量、前記マニホールドに接続される複数の導管を想定しなければならない機械の上の流体システムの複雑性、及び前記継手の中の前記カートリッジの位置修正の不可能性を含んでいる。
【発明の概要】
【発明が解決しようとする課題】
【００１０】
本発明の課題は、従来技術において公知のタイプのシステムの融通性限界を克服することである。
【００１１】
そのような課題の範囲で、本発明の目的は、機械の上の流体回路の２つの流体導管に接続するのに適し、少なくとも２つの異なるサイズの流体導管を有する、サポートマニホールドを提供することである。
【００１２】
本発明のもう１つの目的は、それぞれの流体導管上に少なくとも１つのカートリッジ及び１つの継手を収容することが可能なサポートマニホールドを提供することである。
【００１３】
繰り返すと、本発明の目的は、前記それぞれの導管上において、前記導管上にある前記カートリッジ及び前記継手の両方を減圧するのに適した減圧手段を有するサポートマニホールドを提供することである。
【課題を解決するための手段】
【００１４】
上記に鑑みて、本発明の１つの実施形態によると、同じ数の流体継手を収容するように形成された複数のハウジングを含む複式継手マニホールドが提供される。前記マニホールドは、前記マニホールドを機械の上にある前記流体回路に流体的に接続するように形成される第１及び第２流体接続手段を有し、前記マニホールドは、前記第１流体接続手段を第１及び第２ハウジングに接続する第１流体接続パイプと、前記第２流体接続手段を第３及び第４ハウジングに接続する第２流体接続パイプとをさらに有し、前記マニホールドは、前記第１又は第２流体接続パイプに流体的に接続されている少なくとも１つのドレン導管を含む減圧手段と、前記第１ハウジング及び前記第２ハウジングに流体的に接続される少なくとももう１つの流体接続導管をさらに有する。
【００１５】
１つの実施形態によると、前記複数のハウジングは、第１ハウジング、第２ハウジング、第３ハウジング及び第４ハウジングを含み、少なくとも前記第１及び第２ハウジングは減圧システムを備えるカートリッジ接続手段を収容するように形成されている。
【００１６】
１つの実施形態によると、前記第３ハウジングは減圧システムがない雌継手を収容するように形成され、前記第４ハウジングは減圧システムがない雄継手を収容するように形成される。
【００１７】
１つの実施形態によると、前記減圧手段は、前記第１及び第２カートリッジのために、前記第１ハウジングを前記第２ハウジングに流体的に接続する少なくとも１つのドレン通路を含む。
【００１８】
１つの実施形態によると、前記減圧手段は、加圧された流体を排出するために前記ドレン通路上に配置される少なくとも１つのドレン継手をさらに含む。
【００１９】
さらに、複式導管を同時に接続するシステムが開示されている。このシステムは、前記第１ハウジングに挿入された第１カートリッジと、前記第２ハウジングに挿入された第２カートリッジと、前記第３ハウジングに挿入された平面座雌継手及び前記第４ハウジングに挿入された平面座雄継手と共に上述した実施形態の内のいずれか１つによるマニホールドを有する。
【００２０】
１つの実施形態によると、前記第１及び第２カートリッジは、前記カートリッジから加圧された流体を前記ドレン通路に排出するように形成された減圧装置を含む。
【００２１】
下記の明細書からより明らかになるであろう、この課題及び他の目的は、本明細書の枢要部分をなす添付した特許請求の範囲に規定されているような複数の急速継手を有するサポートマニホールドによって達成される。
【００２２】
本発明のさらなる特徴及び利点は、限定しない例によって規定されかつ添付図面にて説明される、以下の明細書からより明らかになるであろう。
【図面の簡単な説明】
【００２３】
【図１】図１は、本発明の複式継手マニホールドの全体斜視図を示す。
【図２】図２は、本発明の複式継手マニホールドの部分図を示す。
【図３】図３は、本発明の複式継手マニホールドの正面図を示す。
【図４】図４は、図３の垂直面Ｂ−Ｂに沿ってとった断面図を示す。
【図５】図５は、図３の垂直面Ａ−Ａに沿ってとった断面図を示す。
【図６】図６は、本発明のマニホールドに挿入されるカートリッジが備えられた減圧装置の拡大された詳細図を示す。
【図７】図７は、面Ｃ−Ｃが明示された本発明のマニホールドの正面図を示す。
【図８】図８は、本発明のマニホールドである図７の面Ｃ−Ｃに沿って取った断面図を示す。
【発明を実施するための形態】
【００２４】
以下の明細書においては、本発明によるカートリッジタイプの雌継手の好ましい実施形態を説明する。
【００２５】
そのような明細書は、限定されない例として提供される。このため、記載され、等価と見做される可能性のある例のすべての変形は、本発明の範囲内にあると考えるべきである。
【００２６】
通常、特に図１を参照すると、本発明のサポートマニホールド１は、鋳鉄又は類似の金属材料製のマニホールドを含み、急速継手を１つずつ収容するように形成された複数のハウジングを有する。
【００２７】
より専門的には、かつ添付図面に描かれた本発明の好ましい実施形態を参照すると、本発明のマニホールド１は４つの急速継手を含む。特に、図１を参照すると、本発明のマニホールドは、第１ハウジング１ａ、第２ハウジング２ａ、第３ハウジング３ａ及び第４ハウジング４ａの４つのハウジングを有する。その中には、同じ数の急速継手１０、２０、３０、４０を挿入してよい。
【００２８】
前記継手は、雄タイプでも雌タイプでもよい第１カートリッジ１０、第２カートリッジ２０（図面には雌カートリッジが示されている）、第１平面座継手３０（図面には例として雌継手が示されている）及び第２継手４０（図面には平面座雄継手が示されている）を含むことが好ましい。
【００２９】
本発明によるマニホールド１は、一旦マニホールドが機械に取り付けられるとマニホールドを機械の上にある流体回路に流体的に接続するための、第１及び第２流体接続手段１００ａ、２００ａをさらに有する。
【００３０】
さらに、図５の断面Ａ−Ａを参照すると、本発明のマニホールド１は、前記第１流体接続手段１００ａを前記第１カートリッジ１０及び前記平面座雄継手４０に流体的に接続する、第１流体接続パイプ１００を有する。
【００３１】
そのような流体継手をつくるために、前記第１接続パイプ１００は、前記第１カートリッジ１０を収容するように調整された前記第１ハウジング１ａで終わる第１区間１０ａと、前記平面座雄継手４０を収容するように調整された前記第４ハウジング４ａで終わる第２区間４０ａを有すると有利である。
【００３２】
同様に、図４の断面Ｂ−Ｂに示されるように、本発明のマニホールド１は、前記第２流体接続手段２００ａを前記第２カートリッジ２０及び前記平面座雌継手３０に接続する第２流体接続パイプ２００をさらに有する。
【００３３】
そのような流体接続をつくるために、前記第２接続パイプ２００は、前記第２カートリッジ２０を収容するように調整された前記第２ハウジング２ａで終わる第１区間２０ａと、前記平面座雌継手３０を収容するように調整された前記第３ハウジング３ａで終わる第２区間３０aを有すると有利である。
【００３４】
つまり、添付した図面に表示されている好ましい実施形態によると、本発明のマニホールドは、一般的には「スキッドステア」タイプの土工機械であるが、機械の上の２つの流体導管のみをつなげることを可能にする。その流体導管は、マニホールドに流体を導くことを可能にする前記第１及び第２流体接続手段１００ａ、２００ａに接続されて、４つの導管を接続する。
【００３５】
添付した図面に例として描かれた実施形態は、４つの導管を接続するのに適したマニホールドを表示している。しかし、４つ以上の導管を接続するのに適した他のマニホールドを本発明の範囲で製造してよいことを理解されたい。また、このようなことであるから、詳述されかつ添付した特許請求の範囲に目下規定されているような本発明は、４つの導管を有するマニホールドに限定されるものと解釈すべきではない。
【００３６】
本発明のマニホールド１は、複数の継手が存在する場合であっても、機械に必要な流体システム及びそのような回路をマニホールドそれ自体に接続することが必要な接続を単純化することができる。
【００３７】
再び添付図面を参照すると、本発明のマニホールド１は、高い融通性によってさらに特徴づけられる。なぜなら、前記第１カートリッジ１０用の前記第１ハウジング１ａ及び前記第２カートリッジ２０用の前記第２ハウジング２ａが同一だからである。このため、カートリッジのポジションを変更することが可能となる。
【００３８】
同様にして、雌継手３０及び雄継手４０はそれぞれ前記マニホールド１の前記第３ハウジング３ａ及び第４ハウジング４ａに接続される。これらは、同一であるため、継手のポジションを変更することが可能である。
【００３９】
また、添付図面の中の例として示すように、前記第１ハウジング１ａ及び前記第２ハウジング２ａはマニホールドの下部に位置してハーフインチ（１／２”）カートリッジを収容するように形成されるのが好ましい。
【００４０】
さらに例として、前記第３ハウジング３ａ及び前記第４ハウジング４ａはマニホールドの上部に位置して３／４”継手を収容するように形成される。
【００４１】
接続可能な導管の数に関連し、また、マニホールドでサポートされる継手の寸法に関してすでに述べたように、上に掲げられた寸法は本発明の限定しない例としてのみ与えられるものであり、継手及び／又はカートリッジについて特定の寸法に限定するものであると解釈するべきではない。
【００４２】
本発明のマニホールド１は、前記第１流体接続パイプ１００上にあることが好ましいドレン導管３００を含む減圧手段と、前記第１カートリッジ１０の前記第１ハウジング１ａを流体的に前記第２カートリッジ２０の前記第２ハウジング２ａに接続する流体継手導管４００と、を有する。これにより、前記減圧手段によって、カートリッジを含む流体導管及び前記カートリッジに流体的に接続される継手を同時に減圧し、ただ１つのドレン導管３００を通じて作動流体を排出することが可能になる。
【００４３】
ドレン導管３００は、前記第１カートリッジ１０及び第２カートリッジ２０から、通常は油であるが、加圧された作動流体を排出することを可能にする。前記ドレン導管３００上にドレン継手５０が備えられると好都合である。
【００４４】
ドレン通路３００は、カートリッジ１０及びカートリッジ２０が挿入されている第１ハウジング１ａと第２ハウジング２ａとを流体的に接続する。第１ハウジング１ａと第２ハウジング２ａは、例えばカートリッジの後部本体１４と一体のシール１３に対する流体密封を備えるアダプタ本体１１を含む１つの減圧装置１５をそれぞれ備えている。アダプタ本体１１は減圧逃げ１２を備えていると有利である。これにより、そのような減圧逃げ１２が前記シール１３の位置にあるとき油が放出されてドレン通路３００から排出される。
【００４５】
ドレン通路３００によって、機械の上にある油タンクから油を排出してそれを完全に回収することができると有利である。
【００４６】
例えば、本発明のマニホールド１の働きは以下のとおりである。
【００４７】
前記第１流体接続パイプ１００及び第２流体接続パイプ２００によってそれぞれ前記雄継手４０及び前記雌継手３０に流体的に接続されている第１カートリッジ１０及び第２カートリッジ２０が、マニホールド１に挿入されていて、マニホールド１を機械の流体回路に流体的に接続する第１流体接続手段１００ａ及び第２流体接続手段２００ａから入ってくる加圧された流体が、マニホールド及び継手の中に存在しているとき、ユーザは前記カートリッジの上にある減圧装置１５を用いて２つの導管をそれぞれ減圧することができる。
【００４８】
特に、カートリッジ、例えば、図５に関して第１カートリッジ１０を押しつけることによって、当該カートリッジの上に設けられている減圧装置１５はドレン導管３００を通じて圧力を放出する。
【００４９】
圧力をカートリッジ１０から放出することによって、第１カートリッジ１０に流体的に接続している第１区間１０ａ及び雄継手４０に流体的に接続している第２区間４０ａを有する第１接続パイプ１００により形成される流体接続が功を奏して、圧力はすべての導管から、したがって雄継手からも放出される。
【００５０】
第２導管の上、すなわち前記第２カートリッジ２０及び前記雌継手３０が接続されている導管２００の上にある減圧システムの働きも同様である。
【００５１】
前記第１カートリッジ１０の前記第１ハウジング１ａと前記第２カートリッジ２０の前記第２ハウジング２ａとを流体接続させる流体接続導管４００のおかげで、カートリッジ２０を減圧することによって、作動流体はドレン導管３００を通じて排出することが可能である。
【００５２】
したがって、特に取扱いの単純性及びより高いコンパクト性に関して、そして何より、マニホールドが、その中に設けられている流体導管の選択的減圧を可能とする減圧システムを組み込んでいることを考慮すると、本発明のマニホールド１は、上に掲げた課題と目標を達成する。
【図１】
2017122507.tif 000003
【図２】
2017122507.tif 000004
【図３】
2017122507.tif 000005
【図４】
2017122507.tif 000006
【図５】
2017122507.tif 000007
【図６】
2017122507.tif 000008
【図７】
2017122507.tif 000009
【図８】
2017122507.tif 000010
【外国語明細書】
2017122507000001.pdf